(57)【要約】【課題】停電灯用バックアップ電源において、低ワットの照明装置に接続される場合であっても、停電灯全体としてバッテリ充電時の電源高調波を抑制することができる構成を提供する。【解決手段】照明装置（２）に接続される停電灯用バックアップ電源（１）は、バッテリ（３）と、商用電源（ＡＣ）を全波整流する整流回路（４１）及び整流回路（４１）から出力される脈流電圧をスイッチングするスイッチング電源回路（４２）を含み、スイッチング電源回路（４２）の出力電流によってバッテリ（３）を充電するバッテリ充電回路（４）と、第１の状態（Ａ）にあるときにバッテリ充電回路（４）をバッテリ（３）に接続するとともに商用電源（ＡＣ）を照明装置（２）に接続し、第２の状態（Ｂ）にあるときにバッテリ（３）を照明装置（２）に接続するように構成された切替制御部（５）を備える。【選択図】  図１
2015088344.tif 000002
【特許請求の範囲】
【請求項１】
照明装置に接続される停電灯用バックアップ電源であって、
バッテリと、
商用電源を全波整流する整流回路及び該整流回路から出力される脈流電圧をスイッチングするスイッチング電源回路を含み、該スイッチング電源回路の出力電流によって前記バッテリを充電するバッテリ充電回路と、
第１の状態にあるときに前記バッテリ充電回路を前記バッテリに接続するとともに前記商用電源を前記照明装置に接続し、第２の状態にあるときに前記バッテリを前記照明装置に接続するように構成された切替制御部と
を備えた停電灯用バックアップ電源。
【請求項２】
請求項１に記載の停電灯用バックアップ電源において、前記スイッチング電源回路がフライバックコンバータからなる停電灯用バックアップ電源。
【請求項３】
請求項１又は２に記載の停電灯用バックアップ電源において、前記切替制御部が前記第１の状態にあるときに、前記商用電源から前記バッテリ充電回路への入力電流が電源高調波規制クラスＣを満たすように前記スイッチング電源回路が構成される停電灯用バックアップ電源。
【請求項４】
請求項１から３のいずれか一項に記載の停電灯用バックアップ電源であって、前記バッテリに充電された電圧を昇圧する昇圧コンバータをさらに備え、
前記切替制御部において、前記第２の状態にあるときに前記バッテリが前記昇圧コンバータを介して前記照明装置の入力部に接続されるように構成された停電灯用バックアップ電源。
【請求項５】
請求項１から３のいずれか一項に記載の停電灯用バックアップ電源であって、前記バッテリに充電された電圧を直流変換するＤＣ／ＤＣコンバータをさらに備え、前記照明装置がＬＥＤ及び該ＬＥＤに給電するＬＥＤ電源を含み、
前記切替制御部において、前記第１の状態にあるときに前記ＬＥＤ電源が前記ＬＥＤに接続されるように構成され、前記第２の状態にあるときに前記バッテリが前記ＤＣ／ＤＣコンバータを介して前記ＬＥＤに接続されるように構成された停電灯用バックアップ電源。
【請求項６】
請求項１から５のいずれか一項に記載の停電灯用バックアップ電源と、前記照明装置とを備えた停電灯ユニット。
【発明の詳細な説明】
【技術分野】
【０００１】
本発明は停電灯用バックアップ電源及びそれを用いた停電灯ユニットに関する。
【背景技術】
【０００２】
特許文献１は、商用電源から給電される常用点灯回路と、バッテリと、バッテリを充電する充電手段と、バッテリの出力を用いてランプを点灯させる非常用点灯回路と、常用点灯回路と非常用点灯回路とを切り替えるリレーを備えた非常灯点灯装置を開示する。商用電源が正常であるときには常用点灯回路によってランプが点灯されるとともにバッテリ充電手段によってバッテリが充電され、商用電源の停電時にはバッテリを電源として非常用点灯回路によってランプが点灯される。  
【先行技術文献】
【特許文献】
【０００３】
【特許文献１】特開２００３−２４３１９２号公報
【発明の概要】
【発明が解決しようとする課題】
【０００４】
上記のような従来の非常灯点灯装置では、バッテリ充電手段としてコンデンサインプット型の回路が用いられている。ここで、バッテリ充電のために商用電源からバッテリ充電用回路に流れる入力電流に対してランプ点灯のために商用電源から常用点灯回路に流れる入力電流の割合が大きい場合には、非常灯点灯装置への入力電流波形の形成において、常用点灯回路への入力電流が支配的となる。従って、主たる負荷となる常用点灯回路において電源高調波対策がなされていれば、バッテリ充電用回路側で電源高調波対策がなされていなくても、装置全体として電源高調波規制を満たすことができる。しかし、近年普及している低ワットのＬＥＤ照明装置等が主たる負荷となる場合には、ＬＥＤ照明装置への入力電流の割合が小さいためにバッテリ充電用回路への入力電流波形が装置全体における電源高調波に大きく影響することになる。従って、従来の装置におけるようなコンデンサインプット型のバッテリ充電用回路が低ワットの照明装置に適用される場合、装置全体として電源高調波規制を満足できない可能性がある。
【０００５】
そこで、本発明は、停電灯用バックアップ電源において、低ワットの照明装置に接続される場合であっても、停電灯全体としてバッテリ充電時の電源高調波を抑制することができる構成を提供することを課題とする。
【課題を解決するための手段】
【０００６】
本発明の停電灯用バックアップ電源は、照明装置に接続されるものであり、バッテリと、商用電源を全波整流する整流回路及び整流回路から出力される脈流電圧をスイッチングするスイッチング電源回路を含みスイッチング電源回路の出力電流によってバッテリを充電するバッテリ充電回路と、第１の状態にあるときにバッテリ充電回路をバッテリに接続するとともに商用電源を照明装置に接続し、第２の状態にあるときにバッテリを照明装置に接続するように構成された切替制御部とを備える。
【０００７】
上記の停電灯用バックアップ電源によると、バッテリ充電回路が、商用電源電圧が全波整流された脈流電圧をスイッチングするスイッチング電源回路によって構成されるので、バッテリ充電回路によるバッテリ充電の際にも電源高調波を抑制することができる。従って、接続される照明装置が低ワットであり、バッテリ充電時に商用電源からバッテリ充電回路への入力電流の割合が大きい場合においても、照明装置と停電灯用バックアップ電源の組合せにおいて電源高調波を抑制することが可能となる。
【０００８】
ここで、スイッチング電源回路がフライバックコンバータからなることが好ましい。これにより、安価かつ省スペースな構成で電源高調波を抑制する停電灯用バックアップ電源を構成することができる。
【０００９】
また、切替制御部が第１の状態にあるときに、商用電源からバッテリ充電回路への入力電流が電源高調波規制クラスＣを満たすようにスイッチング電源回路が構成されることが好ましい。これにより、接続される照明装置が電源高調波規制を満たすものであれば、停電灯用バックアップ電源が各種照明装置に適用された場合に確実に電源高調波規制が満たされることになる。
【００１０】
ここで、上記停電灯用バックアップ電源が、バッテリに充電された電圧を昇圧する昇圧コンバータをさらに備え、切替制御部において、第２の状態にあるときにバッテリが昇圧コンバータを介して照明装置の入力部に接続されるように構成することができる。これにより、照明装置の入力配線部に停電灯用バックアップ電源を接続できるので、既存の照明装置に対する停電灯用バックアップ電源の導入が容易となる。
【００１１】
また、上記停電灯用バックアップ電源が、バッテリに充電された電圧を直流変換するＤＣ／ＤＣコンバータをさらに備え、照明装置がＬＥＤ及びＬＥＤに給電するＬＥＤ電源を含み、切替制御部において、第１の状態にあるときにＬＥＤ電源がＬＥＤに接続されるように構成され、第２の状態にあるときにバッテリがＤＣ／ＤＣコンバータを介してＬＥＤに接続されるように構成することもできる。これにより、照明装置がＬＥＤ照明装置である場合に、ＬＥＤ電源とＬＥＤの間の配線部に停電灯用バックアップ電源を接続できるので、既存のＬＥＤ照明装置に対する停電灯用バックアップ電源の導入が容易となる。
【００１２】
本発明の停電灯ユニットは、上記停電灯用バックアップ電源と、上記照明装置とを備える。これにより、バッテリ充電時にも電源高調波を抑制できる停電灯ユニットを提供することができる。
【図面の簡単な説明】
【００１３】
【図１】本発明の第１の実施形態による停電灯用バックアップ電源を含む停電灯ユニットを示すブロック図である。
【図２】図１の昇圧コンバータの一例を示す図である。
【図３】本発明の第２の実施形態による停電灯用バックアップ電源を含む停電灯ユニットを示すブロック図である。
【図４】本発明の変形例によるバッテリ充電回路を示す図である。
【発明を実施するための形態】
【００１４】
実施形態１．
図１に、本発明の第１の実施形態による停電灯用バックアップ電源１（以下、「バックアップ電源１」という）を含む停電灯ユニット１０のブロック図を示す。停電灯ユニット１０はバックアップ電源１及び照明装置２を備える。バックアップ電源１は商用電源ＡＣから給電され、照明装置２は、常用時（すなわち非停電時、以下同じ）には商用電源ＡＣから給電され、停電時にはバックアップ電源１から給電される。
【００１５】
バックアップ電源１は、バッテリ３、バッテリ充電回路４、切替制御部５、及び昇圧コンバータ６を備える。バッテリ充電回路４の入力端が商用電源ＡＣに接続され、切替制御部５が商用電源ＡＣと照明装置２の入力端との間に接続される。
【００１６】
バッテリ３は、照明装置２への電源供給が絶たれた直後から、照明装置２が非常灯である場合には連続３０分以上、照明装置２が誘導灯である場合には連続２０分又は６０分以上照明装置２を点灯できる蓄電容量を有する蓄電手段であればよいが、蓄電容量は用途等に応じて適宜定められるものとする。バッテリ３の充電電圧はフル充電時に１２〜２０Ｖ程度が一般的であるが、使用するバッテリの種類に応じて変更可能であり、上記電圧に限定されるものではない。
【００１７】
バッテリ充電回路４は、入力回路４０、整流回路４１、スイッチング電源回路４２、制御部４６、及び充電電圧検出回路４７を備え、電源高調波を抑制する機能を有するＡＣ／ＤＣ降圧コンバータを構成する。バッテリ充電回路４は、スイッチング電源回路４２の出力によりバッテリ３を充電する。
【００１８】
入力回路４０は、電流ヒューズ、ノイズフィルタ等を含む。整流回路４１はダイオードブリッジからなり、商用電源ＡＣを全波整流してスイッチング電源回路４２に出力する。なお、入力回路４０を構成するノイズフィルタの一部が整流回路４１の後段に配置されていてもよい。
【００１９】
スイッチング電源回路４２は、トランス４３、ＭＯＳＦＥＴ等のスイッチング素子４４、及びダイオード４５を含み、力率改善機能を持つ所謂ワンコンバータ方式のフライバックコンバータ（以下、「フライバックコンバータ４２」という）を構成する。スイッチング素子４４のオン期間にトランス４３の一次巻線によってエネルギーが蓄積され、スイッチング素子４４のオフ期間にそのエネルギーが二次巻線側からダイオード４５を介して出力される。バッテリ充電回路４が、後述する充放電切替部５１を介してバッテリ３に接続される場合、ダイオード４５からの出力電流によってバッテリ３が充電される。フライバックコンバータ４２における降圧比はトランス４３の一次巻線に対する二次巻線の巻数比によって決まり、出力電流はスイッチング素子４４のオンデューティ（オン幅）によって決まる。
【００２０】
制御部４６はスイッチング素子４４を所定のオン幅で不連続モード又は臨界モードでＰＷＭ駆動する。整流回路４１から全波整流出力される脈流電圧のほぼ全期間にわたってスイッチング素子４４のスイッチング動作が行われることにより、同期間における商用電源ＡＣからの入力電流が確保される。これにより、商用電源ＡＣの脈流電圧に略相似する波形の入力電流をバッテリ充電回路４に取り込むことができ、力率が改善されるとともに電源高調波が抑制される。なお、バッテリ充電回路４による充電動作時に、バッテリ充電回路４への入力電流が電源高調波規制クラスＣを満たすようにフライバックコンバータ４２がＰＷＭ制御されることが望ましい。
【００２１】
充電電圧検出回路４７は、例えば、フライバックコンバータ４２の出力端子間に接続された分圧抵抗からなり、バッテリ３の充電電圧を検出する。バッテリ３の充電電圧が所定値を超えたことが充電電圧検出回路４７によって検出されると、制御部４６はスイッチング素子４４をオフ状態としてフライバックコンバータ４２の出力を停止する。なお、制御部４６の基準電位はトランス４３の一次側にあり、充電電圧検出回路４７の基準電位はトランス４３の二次側にあるため、制御部４６内において、フォトカプラ等によって検出出力の基準電位の変換がなされるものとする。なお、トランス４３の一次側の基準電位と二次側の基準電位とが接続されて同電位となる構成が採用されてもよく、この場合、フォトカプラ等による基準電位の変換は不要となる。
【００２２】
切替制御部５は、充放電切替部５１、電源切替部５４、停電検出部５７、及び制御回路５８を含み、停電の有無に応じて、商用電源ＡＣ、バックアップ電源１及び照明装置２の接続関係を制御する。
【００２３】
充放電切替部５１は一対のスイッチ５２及び５３を有し、スイッチ５２はバッテリ３の正極に、スイッチ５３はバッテリ３の負極に接続されるとともに、それぞれ接点Ａと接点Ｂの間で接続が切り替えられる。接続が接点Ａ（第１の状態）にある場合、バッテリ充電回路４の出力端がバッテリ３に接続され、接続が接点Ｂ（第２の状態）にある場合、バッテリ３が昇圧コンバータ６の入力端に接続される。
【００２４】
電源切替部５４は一対のスイッチ５５及び５６を有し、それぞれ照明装置２のＬＥＤ電源７の入力端に接続されるとともに、接点Ａと接点Ｂの間で接続が切り替えられる。接続が接点Ａ（第１の状態）にある場合、商用電源ＡＣがＬＥＤ電源７の入力端に接続され、接続が接点Ｂ（第２の状態）にある場合、昇圧コンバータ６の出力端がＬＥＤ電源７の入力端に接続される。
【００２５】
停電検出部５７は商用電源ＡＣにおける停電状態を検出する。停電検出部５７は、例えば、入力線間の電圧を検出してその電圧が所定値以上の場合には駆動信号を出力し、所定値未満の場合には何も出力しない構成であればよい。
【００２６】
制御回路５８は、停電検出部５７によって検出される停電状態に応じて充放電切替部５１及び電源切替部５４の全てのスイッチ接続を同時に接点Ａ又は接点Ｂに切り替える。停電検出部５７から駆動信号が入力される場合（すなわち、非停電時）には、制御回路５８は全スイッチ５２、５３、５５及び５６を接点Ａに接続する。一方、駆動信号が入力されない場合（すなわち、停電時）には、制御回路５８は全スイッチ５２、５３、５５及び５６を接点Ｂに接続する。従って、切替制御部５において、各スイッチは、商用電源ＡＣが遮断されて給電されない場合には常時接点Ｂに接続され、商用電源ＡＣが投入されて給電されると接点Ａに接続される。
【００２７】
すなわち、商用電源ＡＣの非停電時（接点Ａの状態）には、バッテリ充電回路４の出力端がバッテリ３に接続されるとともに商用電源ＡＣが照明装置２（ＬＥＤ電源７の入力端）に接続される。この接続状態においては、バッテリ３と昇圧コンバータ６、及び昇圧コンバータ６と照明装置２は遮断される。一方、商用電源ＡＣの停電時（接点Ｂの状態）には、バッテリ３が昇圧コンバータ６を介してＬＥＤ電源７の入力端に接続される。この接続状態においては、バッテリ充電回路４の出力端とバッテリ３、及び商用電源ＡＣと照明装置２とは遮断される。
【００２８】
昇圧コンバータ６はバッテリ３からの入力電圧を、商用電源ＡＣとほぼ同等のピーク電圧の出力電圧に変換する。なお、昇圧コンバータ６はＤＣ／ＡＣ昇圧コンバータであってもよいし、ＤＣ／ＤＣ昇圧コンバータであってもよい。図２に、昇圧コンバータ６がＤＣ／ＡＣ昇圧コンバータである場合の回路図を示す。昇圧コンバータ６はドライバ回路６０によって駆動されるトランジスタ６１〜６４からなるフルブリッジ回路、及び昇圧トランス６５を備える。フルブリッジ回路の高電位入力端はスイッチ５２の接点Ｂに接続され、低電位入力端はスイッチ５３の接点Ｂに接続され、昇圧トランス６５の交流出力端はそれぞれスイッチ５５の接点Ｂ及びスイッチ５６の接点Ｂに接続される。トランジスタ６１及び６４とトランジスタ６２及び６３の組がドライバ回路６０によって交互にオン・オフされて、バッテリ３の直流電圧が交流変換され、この交流電圧が昇圧トランス６５によって昇圧される。ドライバ回路６０はバッテリ３からの給電により動作するものとする。なお、昇圧コンバータ６がＤＣ／ＤＣ昇圧コンバータからなる場合、昇圧チョッパ回路、フライバック回路等、種々の昇圧コンバータ回路が適用され得る。
【００２９】
照明装置２はＬＥＤ電源７及びＬＥＤ８を含む。ＬＥＤ電源７は入力電圧を直流変換してＬＥＤ８に供給する。なお、ＬＥＤ８を１つのＬＥＤで図示しているが、ＬＥＤ８は複数のＬＥＤが直列又は直並列されたものを含む。
【００３０】
ＬＥＤ電源７は、入力回路７０、整流回路７１、スイッチング電源回路７２、及び制御部７６を備え、電源高調波を抑制する機能を有する降圧コンバータを構成する。ＬＥＤ電源７の回路構成はバッテリ充電回路４のものと類似し、入力回路７０及び整流回路７１は入力回路４０及び整流回路４１と実質的に同様の構成を有するので詳細な説明を省略する。
【００３１】
スイッチング電源回路７２は、トランス７３、ＭＯＳＦＥＴ等のスイッチング素子７４、ダイオード７５、及び平滑コンデンサ７６を含み、力率改善機能を持つ所謂ワンコンバータ方式のフライバック降圧回路を構成する（以下、「フライバックコンバータ７２」という）。スイッチング素子７４のオン期間にトランス７３の一次巻線によってエネルギーが蓄積され、スイッチング素子７４のオフ期間にそのエネルギーが二次巻線側からダイオード７５を介して平滑コンデンサ７６に充電される。フライバックコンバータ７２における降圧比はトランス７３の巻数比によって決まり、出力電流はスイッチング素子７４のオンデューティ（オン幅）によって決まる。平滑コンデンサ７６の電圧を電源としてＬＥＤ８に直流電流が供給され、すなわちＬＥＤ８が点灯される。
【００３２】
制御部７７はスイッチング素子７４を所定のオン幅で不連続モード又は臨界モードでＰＷＭ駆動する。整流回路７１から全波整流出力される脈流電圧のほぼ全期間にわたってスイッチング素子７４のスイッチング動作が行われることにより、同期間における商用電源ＡＣからの入力電流が確保される。これにより、商用電源ＡＣの脈流電圧に略相似する波形の入力電流をＬＥＤ電源７に取り込むことができ、力率が改善されるとともに電源高調波が抑制される。なお、不図示の出力電圧検出回路及び出力電流検出回路によって検出されるＬＥＤ電源７の出力状態（すなわち、ＬＥＤ８の点灯状態）に応じて、上記のスイッチング素子７４のオン幅がフィードバック制御されるように構成することができる。
【００３３】
以上のように、本実施形態によると、電源高調波を抑制する構成が照明装置２だけでなく、バックアップ電源１のバッテリ充電回路４にも採用される。従って、照明装置２の定格電力が低く、バックアップ電源１への入力電流の割合が大きい場合であっても、バッテリ充電回路４によるバッテリ３の充電の際に、停電灯ユニット１０全体として電源高調波規制を満たすことができる。特に、バックアップ電源１のバッテリ充電回路４が電源高調波規制クラスＣを満たすように構成されるので、照明装置２のＬＥＤ電源７が電源高調波規制クラスＣを満たす限り、放電灯ユニット１０全体として同規制を満たすことができる。
【００３４】
また、接続される照明装置において電源高調波対策がなされていない場合（例えば、定格電力２５Ｗ以下の場合、定格入力電力２０Ａ以下の場合等のように、電源高調波規制クラスＣの適用対象外である場合）であっても、バッテリ充電回路４の電源高調波対策により、バックアップ電源１でのバッテリ３の充電の際に、停電灯ユニット１０全体として電源高調波抑制の効果を得ることができる。
【００３５】
そして、本実施形態では、電源高調波対策をフライバックコンバータからなる所謂ワンコンバータ方式で実現したので、安価かつ省スペースなバックアップ電源１乃至は停電灯ユニット１０を構成することができる。また、本実施形態のバックアップ電源１は、照明装置２の入力配線部に接続できるので、既存の照明装置２に対する導入が容易である。
【００３６】
実施形態２．
上記実施形態１では照明装置の入力段にバックアップ電源が接続される構成を示したが、本実施形態では照明装置のＬＥＤ電源とＬＥＤの間にバックアップ電源が接続される構成を示す。
【００３７】
図３に、本実施形態によるバックアップ電源１を含む停電灯ユニット１０のブロック図を示す。実施形態１と同様に、停電灯ユニット１０はバックアップ電源１及び照明装置２を備え、照明装置２はＬＥＤ電源７及びＬＥＤ８を備える。バックアップ電源１は商用電源ＡＣから給電され、照明装置２のＬＥＤ８は、非停電時にはＬＥＤ電源７から給電され、停電時にはバックアップ電源１から給電される。なお、照明装置２のＬＥＤ電源７及びＬＥＤ８の各構成は実施形態１のものと同様である。
【００３８】
バックアップ電源１は、バッテリ３、バッテリ充電回路４、切替制御部５、及び昇圧コンバータ６を備える。バッテリ充電回路４の入力端が商用電源ＡＣに接続され、切替制御部５がＬＥＤ電源７の出力端とＬＥＤ８の間に接続される。なお、バッテリ３及びバッテリ充電回路４の構成は実施形態１のものと同様であるのでその詳細な説明を省略する。
【００３９】
切替制御部５は、充放電切替部５１、電源切替部５４、停電検出部５７、及び制御回路５８を含み、停電の有無に応じて、商用電源ＡＣ、バックアップ電源１及び照明装置２の接続関係を制御する。
【００４０】
充放電切替部５１は一対のスイッチ５２及び５３を有し、スイッチ５２はバッテリ３の正極に、スイッチ５３はバッテリ３の負極に接続されるとともに、それぞれ接点Ａと接点Ｂの間で接続が切り替えられる。接続が接点Ａ（第１の状態）にある場合、バッテリ充電回路４の出力端がバッテリ３に接続され、接続が接点Ｂ（第２の状態）にある場合、バッテリ３がＤＣ／ＤＣコンバータ９の入力端に接続される。
【００４１】
電源切替部５４は一対のスイッチ５５及び５６を有し、スイッチ５５はＬＥＤ８の正極端子に接続され、スイッチ５６はＬＥＤ８の負極端子に接続され、それぞれ接点Ａと接点Ｂの間で接続が切り替えられる。接続が接点Ａ（第１の状態）にある場合、ＬＥＤ電源７の出力端がＬＥＤ８に接続され、接続が接点Ｂ（第２の状態）にある場合、ＤＣ／ＤＣコンバータ９の出力端がＬＥＤ８に接続される。
【００４２】
停電検出部５７は商用電源ＡＣにおける停電状態を検出する。停電検出部５７は、例えば、入力線間の電圧を検出してその電圧が所定値以上の場合には駆動信号（Ｄ）を出力し、所定値未満の場合には何も出力しない。
【００４３】
制御回路５８は、停電検出部５７によって検出される停電状態に応じて充放電切替部５１及び電源切替部５４の全てスイッチの接続を同時に接点Ａ又は接点Ｂに切り替える。停電検出部５７から駆動信号（Ｄ）が入力される場合（すなわち、非停電時）には、制御回路５８は全スイッチ５２、５３、５５及び５６を接点Ａに接続する。一方、駆動信号が入力されない場合（すなわち、停電時）には、制御回路５８は全スイッチ５２、５３、５５及び５６を接点Ｂに接続する。従って、切替制御部５において、各スイッチは、商用電源ＡＣが遮断されて給電されない場合には常時接点Ｂに接続され、商用電源ＡＣが投入されて給電されると接点Ａに接続される。
【００４４】
すなわち、商用電源ＡＣの非停電時（接点Ａの状態）には、バッテリ充電回路４の出力端がバッテリ３に接続されるとともにＬＥＤ電源７の出力端がＬＥＤ８に接続される。この接続状態においては、バッテリ３とＤＣ／ＤＣコンバータ９、及びＤＣ／ＤＣコンバータ９とＬＥＤ８とは遮断される。一方、商用電源ＡＣの停電時（接点Ｂの状態）には、バッテリ３がＤＣ／ＤＣコンバータ９を介してＬＥＤ８に接続される。この接続状態においては、バッテリ充電回路４の出力端とバッテリ３、及びＬＥＤ電源７とＬＥＤ８とは遮断される。
【００４５】
ＤＣ／ＤＣコンバータ９はバッテリ３からの入力電圧をＬＥＤ８の順方向降下電圧Ｖｆに略等しい出力電圧に変換する。従って、ＤＣ／ＤＣコンバータ９は、バッテリ３の電圧よりも順方向降下電圧Ｖｆが高い場合は昇圧コンバータであり、バッテリ３の電圧よりも順方向降下電圧Ｖｆが低い場合は降圧コンバータである。また、あらゆる順方向降下電圧ＶｆのＬＥＤ８に対応するために、ＤＣ／ＤＣコンバータ９は昇降圧型コンバータであってもよい。ＤＣ／ＤＣコンバータ９は昇圧又は降圧チョッパ回路、フライバック回路等、種々のＤＣ／ＤＣコンバータ回路が適用され得る。
【００４６】
以上のように、本実施形態のバックアップ電源１は、実施形態１と同様に、低ワットの照明装置に接続される場合であっても、停電灯ユニット１０全体としてバッテリ充電時の電源高調波を抑制することができる。特に、バックアップ電源１（バッテリ充電回路４）が電源高調波規制クラスＣを満たすように構成されるので、照明装置２（ＬＥＤ電源７）が電源高調波規制クラスＣを満たす限り、放電灯ユニット１０全体として同規制を満たすことができる。
【００４７】
また、電源高調波対策用の回路としてワンコンバータ方式のフライバック降圧回路を採用したので安価かつ省スペースなバックアップ電源１乃至は停電灯ユニット１０を構成することができる。またさらに、本実施形態のバックアップ電源１はＬＥＤ電源７とＬＥＤ８の間に接続できるので、既存の照明装置２（例えば、ＬＥＤ電源とＬＥＤが離れて配置される灯具別置型のＬＥＤ照明装置）に対する導入が容易である。
【００４８】
＜変形例＞
なお、上記において本発明の好適な実施形態を示したが、本発明は上記構成に限られず、種々の変形が可能である。
【００４９】
・バッテリ充電回路４及びＬＥＤ電源７の変形
上記各実施形態においてはバッテリ充電回路４のスイッチング電源回路４２がフライバックコンバータからなる構成を示したが、スイッチング電源回路が力率改善回路（昇圧チョッパ回路）及び降圧チョッパ回路からなる構成としてもよい。図４に、この場合の回路図を示す。バッテリ充電回路４´は、入力回路４０、整流回路４１、スイッチング電源回路４２´、充電電圧検出回路４７、及び制御部４８を備える。スイッチング電源回路４２´は力率改善回路４２０及び降圧チョッパ回路４２５を含む。力率改善回路４２０はコイル４２１、スイッチング素子４２２、ダイオード４２３及びコンデンサ４２４を含み、降圧チョッパ回路４２５はスイッチング素子４２６、コイル４２７、ダイオード４２８及びコンデンサ４２９を含む。制御部４８はスイッチング素子４２２及び４２６をそれぞれ所定のオン幅でＰＷＭ駆動する。
【００５０】
力率改善回路４２０においては、スイッチング素子４２２のオン期間にコイル４２１にエネルギーが蓄えられ、スイッチング素子４２２のオフ期間にそのエネルギーがダイオード４２３を介してコンデンサ４２４に充電される。降圧チョッパ回路４２５は、コンデンサ４２４に充電された電圧を電源として、スイッチング素子４２６のスイッチング動作により電流を制限しつつバッテリ３を充電する。バッテリ３の充電電圧が所定値を超えたことが充電電圧検出回路４７によって検出されると、制御部４６はスイッチング素子４２６又はスイッチング素子４２２及び４２６をオフ状態としてバッテリ充電回路４の出力を停止する。
【００５１】
本変形例においても、整流回路４１から全波出力される脈流電圧のほぼ全期間においてスイッチング素子４２２のスイッチング動作が行われることにより、同期間における商用電源ＡＣからの入力電流が確保される。これにより、商用電源ＡＣの脈流電圧に略相似する波形の入力電流をバッテリ充電回路４に取り込むことができ、力率が改善されるとともに電源高調波が抑制される。
【００５２】
ＬＥＤ電源７についても同様に、上記各実施形態においてはＬＥＤ電源７がフライバックコンバータからなる構成を示したが、例えば、図４に示すような力率改善回路（昇圧チョッパ回路）及び降圧チョッパ回路からなる構成としてもよい。
【００５３】
・照明装置２の光源
上記各実施形態においては照明装置２がＬＥＤ照明装置である場合について説明したが、本発明は他の光源の照明装置にも適用可能である。実施形態１について、照明装置は、例えば、蛍光灯等の放電灯を光源とする照明装置、又は有機ＥＬ等の半導体素子を光源とする照明装置であってもよい。また、実施形態２についても、光源が直流点灯可能なものであればよく、照明装置は有機ＥＬ等の半導体素子を光源とするものであってもよい。
【符号の説明】
【００５４】
１  停電灯用バックアップ電源（バックアップ電源）
２  照明装置
３  バッテリ
４、４´  バッテリ充電回路
５  切替制御部
６  昇圧コンバータ
７  ＬＥＤ電源
８  ＬＥＤ
９  ＤＣ／ＤＣコンバータ
１０  停電灯ユニット
４１  整流回路
４２  スイッチング電源回路（フライバックコンバータ）
４２´  スイッチング電源回路
【図１】
2015088344.tif 000003
【図２】
2015088344.tif 000004
【図３】
2015088344.tif 000005
【図４】
2015088344.tif 000006